(57)【要約】【課題】  ケースの収納部から物品を取り出す際、収納部の平坦なトレー上に載せ置かれているコンパクトディスク等の薄板状物品をしっかりと保持できて、取り出しの際の物品の落下事故を低減できる収納ケースを提供できるようにした。【解決手段】  収納ケースを、収納部３を備えるケース本体１と、ケース本体１における収納部開口４側に接続されて、収納部３上に折り畳めるフラップ片２とより構成し、また収納部３内に、一端をフラップ片２の内方に接続されて、収納部開口４より収納部３内に入る被収納物を載せ置くトレー５を設け、かつトレー５に山折り状の折り目６を設けて、同山折り状の折り目６は、トレー５がフラップ片２を開いてケース本体１の収納部３内より被収納物を取り出す状態において、トレー５における収納部３の外部に出ている部分の両端に渡りフラップ片２の開閉方向に対して略直交方向に設ける。【選択図】  図１
2010168061.tif 000002
【特許請求の範囲】
【請求項１】
物品を収容する袋状の収納部を備えるケース本体と、同ケース本体における収納部開口側の端辺に続いて折り目を介して接続され、同収納部上に折り畳むことができるフラップ片とよりなり、また前記収納部内には、一端を折り目を介して前記フラップ片の内方に接続して、収納部開口より収納部内に入る被収納物を載せ置くトレーを設けており、かつ同トレーには山折り状の折り目を設けていて、同山折り状の折り目は、フラップ片を開いてケース本体の収納部内より被収納物を取り出す状態において、トレーにおける収納部の外部に出ている部分の両端に渡りフラップ片の開閉方向に対して略直交方向に設けており、被収納物をケース本体の収納部より取り出す際に、ケース本体の収納部上に折り畳まれたフラップ片の開放とともに収納部内より引き出されるトレーが、前記山折り状の折り目より山折れ状態となり、同トレーとともに収納部内より引き出されるトレー上の被収納物における山折り状の折り目よりもフラップ片寄りに位置する部位を、同トレー上より浮き上がらせるように構成してなる収納ケース。
【請求項２】
前記収納部のフラップ片が折り重なる面の開口縁略中央に、同収納部の中心内方に向かって少なくとも指の先端が入る幅の所定長さの切り欠きを設けてなる請求項１に記載の収納ケース。
【請求項３】
前記トレー上に、被収納物を収容保持するための部屋を複数積層してなる請求項１に記載の収納ケース。
【請求項４】
前記部屋を仕切る仕切り板の部屋入り口側の端縁略中央に、同仕切り板の中心内方に向かって少なくとも指の先端が入る幅の所定長さの切り欠きを設けてなる請求項３に記載の収納ケース。
【請求項５】
前記ケース本体とフラップ片およびフラップ片とトレーを接続する折り目の部分に、被収納物の厚みに対応する幅のまちを設けてなる請求項１に記載の収納ケース。
【請求項６】
前記ケース本体、フラップ片、トレーの各部を一枚の薄板部材に連設して形成し、所定の折り目で折り上げることにより組み立ててなる請求項１に記載の収納ケース。
【発明の詳細な説明】
【技術分野】
【０００１】
本発明は、コンパクトディスク等の薄板状物品を収納するための収納ケースに関し、より詳しくは、収納する物品を取り出し易くした収納ケースに関する。
【背景技術】
【０００２】
従来、コンパクトディスク等の記録媒体はプラスチックケースに収納するのが主流であったが、環境重視の今日では、環境負荷が大なる前記プラスチック製のケースから環境負荷が小なる紙製のケースに変わりつつある。
【０００３】
この紙製のケースにおけるコンパクトディスクの収納形態は、（例えば、特許文献１、２参照）のように、収納部内に有する平坦なトレー上にコンパクトディスクを載せ置いて収納している。
【０００４】
そして、ケース内からコンパクトディスクを取り出す際は、ケースの収納部における収納用開口を塞いでいるフラップ片を開け、かつ同フラップ片が邪魔になることからフラップ片を他の指で強制的に収納用開口の下方に押し退けて、同状態を保ったままで、平坦なトレー上に載せ置かれているコンパクトディスクを、同コンパクトディスクにおける中央の通孔に入れた親指と同コンパクトディスクの周縁に係着した人差し指で摘んで取り出していた。
【０００５】
しかしながら、コンパクトディスク、トレー上（載せ置き面）ともに平坦であり、また、開放したフラップ片を小指等で強制的に収納用開口の下方に押し退けた状態のままコンパクトディスクを取り出さなければならないので、同平坦なトレー上に載せ置かれているコンパクトディスクを取り出す際、コンパクトディスクは非常に不安定な状態となり、時には、コンパクトディスクを落としてしまうことも多々あった。
【先行技術文献】
【特許文献】
【０００６】
【特許文献１】特許第４０２８１３３号公報（第１〜９頁、図１〜１０）
【特許文献２】特開２００１−４８２７８号公報（第１〜１９頁、図１〜３９）
【発明の概要】
【発明が解決しようとする課題】
【０００７】
本発明は、ケースの収納部に収納している物品を取り出す際に、同収納部の平坦なトレー上に載せ置かれているコンパクトディスク等の薄板状物品をしっかりと保持できるようにして、取り出しの際における物品の落下事故を低減できる収納ケースを提供できるようにした。
【課題を解決するための手段】
【０００８】
上述した課題を解決するために、本発明に係る収納ケースは、物品を収容する袋状の収納部を備えるケース本体と、同ケース本体における収納部開口側の端辺に続いて折り目を介して接続され、同収納部上に折り畳むことができるフラップ片とよりなり、また前記収納部内には、一端を折り目を介して前記フラップ片の内方に接続して、収納部開口より収納部内に入る被収納物を載せ置くトレーを設けており、かつ同トレーには山折り状の折り目を設けていて、同山折り状の折り目は、フラップ片を開いてケース本体の収納部内より被収納物を取り出す状態において、トレーにおける収納部の外部に出ている部分の両端に渡りフラップ片の開閉方向に対して略直交方向に設けており、被収納物をケース本体の収納部より取り出す際に、ケース本体の収納部上に折り畳まれたフラップ片の開放とともに収納部内より引き出されるトレーが、前記山折り状の折り目より山折れ状態となり、同トレーとともに収納部内より引き出されるトレー上の被収納物における山折り状の折り目よりもフラップ片寄りに位置する部位を、同トレー上より浮き上がらせるように構成したものとしてある。
【０００９】
また前記収納部のフラップ片が折り重なる面の開口縁略中央に、同収納部の中心内方に向かって少なくとも指の先端が入る幅の所定長さの切り欠きを設けたものとしてある。
【００１０】
また前記トレー上に、被収納物を収容保持するための部屋を複数積層したものとしてある。
【００１１】
また、前記部屋を仕切る仕切り板の部屋入り口側の端縁略中央に、同仕切り板の中心内方に向かって少なくとも指の先端が入る幅の所定長さの切り欠きを設けたものとしてある。
【００１２】
また前記ケース本体とフラップ片およびフラップ片とトレーを接続する折り目の部分に、被収納物の厚みに対応する幅のまちを設けたものとしてある。
【００１３】
また前記ケース本体、フラップ片、トレーの各部を一枚の薄板部材に連設して形成し、所定の折り目で折り上げることにより組み立ててなるようにしたものとしてある。
【発明の効果】
【００１４】
本発明の収納ケースによれば、同収納ケースに収納している被収納物を取り出す際に、被収納物の一側を、同被収納物を載せ置いているトレー面より浮き上がるようにしているので、例えば、コンパクトディスク等の薄板状物品を取り出す際も、コンパクトディスクの周縁に指（例えば親指）をしっかりと係着できて、これによってコンパクトディスクの周縁が指（例えば親指）によってしっかりと保持され、同コンパクトディスクにおける中央の通孔にも指（例えば人差し指）をしっかりと入れ込むことができる。
【００１５】
したがって、コンパクトディスクを指（例えば親指と人差し指）によってしっかりと保持した状態で、同コンパクトディスクを収納ケースより取り出すことができるので、取り出しの際におけるコンパクトディスク（被収納物）の落下事故を低減することができる。
【００１６】
また、ケース本体の収納部上に折り畳んで同収納部開口を塞ぐためのフラップ片を、同開口と反対側の収納部端部付近まで被さるようにして収納ケースを表表紙と裏表紙のあるブック状にしているので、同フラップ片を開けば、同収納ケース内に収納している被収納物をすぐ取り出すことができる。
すなわち、フラップ片を開くワンアクションで被収納物を取り出せる収納ケースである。
【図面の簡単な説明】
【００１７】
【図１】本発明に係る開いた状態の収納ケースを示す斜視図。
【図２】収納ケースの閉じた状態を示す斜視図。
【図３】コンパクトディスクを収納している状態を示す一部破断斜視図。
【図４】収納ケースの開放過程を連続的に示した収納ケースを側面より見た図。
【図５】図４中（ｃ）〜（ｅ）図の一部拡大図。
【図６】収納ケースの展開図。
【図７】収納部を２段にした収納ケースを示す斜視図。
【図８】コンパクトディスクを２枚収納している状態を示す一部破断斜視図。
【図９】図７に示した収納ケースの展開図。
【発明を実施するための形態】
【００１８】
以下、本発明に係る収納ケースを、添付図面のコンパクトディスク用に構成している収納ケースを例にして説明する。
【００１９】
収納ケースは、コーティング紙等の紙材を用いて形成するのが好ましいが、例えば、ポリエチレンテレフタレート等の合成樹脂製のシートを用いて形成する場合もある。
【００２０】
そして収納ケースは、図１に示すように、物品を収容する袋状の収納部３を備えるケース本体１と、同ケース本体１の収納部３上に折り畳むことができるフラップ片２とより構成していて、同ケース本体１とフラップ片２は、折り目７、まち８を介して接続している。
【００２１】
またフラップ片２は、図２に示すように、収納部開口４と反対側の収納部３端部付近まで被さるようにしていて、収納ケースを、表表紙と裏表紙のあるブック状スタイルにしている。
【００２２】
そして、ケース本体１の収納部３内には、一端をフラップ片２の内方に接続して、収納部開口４より収納部３内に入る被収納物（コンパクトディスク）を載せ置くトレー５を設けていて、同フラップ片２とトレー５も、折り目７、まち８´を介して接続している。
【００２３】
さらにトレー５には山折り状の折り目６を設けていて、同山折り状の折り目６は、フラップ片２を開いてケース本体１の収納部３内より被収納物（コンパクトディスク）を取り出す状態（図１に示した状態）において、トレー５における収納部の外部に出ている部分の両端に渡りフラップ片２の開閉方向に対して略直交方向に設けている。
【００２４】
また図３に示すように、トレー５の収納部３内に位置する遊端部側には受け片１３を設けていて、トレー５上に載せ置かれているコンパクトディスク１２が同トレー５上より落ちないようにしている。
【００２５】
そして、前記まち８、８´は、実施例で示している収納ケースがコンパクトディスク用に構成しているものなので、まち８、８´の幅を、コンパクトディスクの厚みに対応させた幅にしている。
【００２６】
またコンパクトディスク用に構成している収納ケースなので、コンパクトディスク１２を取り出す際に同コンパクトディスク１２の中心孔に指を掛けられるように、収納部３のフラップ片が折り重なる面の収納部開口４端縁より続く少なくとも指の先端が入る幅の切り欠き９を設けている。
【００２７】
次に、収納ケース内より被収納物たるコンパクトディスクを取り出す際における収納ケースの動きを図４中の（ａ）〜（ｅ）図を用いて説明する。
【００２８】
先ず、コンパクトディスク１２が収納された収納ケース（図４中（ａ）図）のケース本体１の収納部３上に折り畳まれたフラップ片２を開放して行くと、同フラップ片２の開放とともに収納部３内よりトレー５が引き出されとくる（図４中（ｂ）図）。
【００２９】
さらにフラップ片２を開放して行くと、トレー５上に載せ置かれているコンパクトディスク１２が現れてくる（図４中（ｃ）図）。
【００３０】
同フラップ片２の開放を続けると、フラップ片２の開放とともに収納部３内よりトレー５に設けている山折り状の折り目６が現れてくる（図４中（ｄ）図）。
【００３１】
そして同フラップ片２が、図４中（ｄ）図の開放途中の状態から図４中（ｅ）図のフラップ片２の開放完了の状態になるに従い、トレー５に設けている山折り状の折り目６が山折れ状態になって行き、図４中（ｅ）図に示すように、収納物たるコンパクトディスク１２の一側がトレー５上より浮き上がる。
【００３２】
したがって、コンパクトディスク１２の周縁に指をしっかりと係着することができる。
【００３３】
そして本収納ケースは、図６に示すように、ケース本体１、フラップ片２、トレー５の各部を一枚の薄板部材に連設して形成し、所定の折り目で折り上げることにより収納ケーを組み立てられるように構成する場合もある。
【００３４】
また、図７に示すように、ケース本体１の収納部３内に設けているトレー５に仕切り板１０を設け、同仕切り板１０により、トレー５上に被収納物たるコンパクトディスクを収納する部屋を上下２段に設ける場合もある。
【００３５】
したがって、図８に示すように、コンパクトディスクをトレー５上に１枚（コンパクトディスク１２）と、仕切り板１０上に１枚（コンパクトディスク１２´）の計２枚のコンパクトディスクが収納できる。
【００３６】
またコンパクトディスク用に構成している収納ケースなので、仕切り板１０上のコンパクトディスク１２´がない場合、仕切り板１０下のトレー５上に収納しているコンパクトディスク１２を取り出す際に同コンパクトディスク１２の中心孔に指を掛けられるように、仕切り板１０における収納部開口４側の端縁より続く少なくとも指の先端が入る幅の切り欠き１１を設けている。
【００３７】
また、図７に示したトレー５上に被収納物たるコンパクトディスクを上下２段に収納できるように構成した収納ケースにおいても、図９に示すように、ケース本体１、フラップ片２、トレー５の各部を一枚の薄板部材に連設して形成し、所定の折り目で折り上げることにより収納ケーを組み立てられるように構成する場合もある。
【００３８】
実施例における図９中の符号３´は、収納部３が形成される際の一部分となる収納部の構成片材である。
【符号の説明】
【００３９】
１  ケース本体
２  フラップ片
３  収納部
３´  収納部の構成片材
４  収納部開口
５  トレー
６  山折り状の折り目
７  折り目
８  まち
８´  まち
９  切り欠き
１０  仕切り板
１１  切り欠き
１２  コンパクトディスク
１２´  コンパクトディスク
１３  受け片
【図１】
2010168061.tif 000003
【図２】
2010168061.tif 000004
【図３】
2010168061.tif 000005
【図４】
2010168061.tif 000006
【図５】
2010168061.tif 000007
【図６】
2010168061.tif 000008
【図７】
2010168061.tif 000009
【図８】
2010168061.tif 000010
【図９】
2010168061.tif 000011